【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
遊技者にとって有利な価値が付与される有利状態に制御可能な遊技機であって、
遊技者にとって有利な価値が付与される状態であって、前記有利状態よりも有利度合いが低い特殊状態に制御可能な特殊状態制御手段と、
前記特殊状態に制御され易い特別状態に制御可能な特別状態制御手段と、
識別情報を変動表示させ、表示結果を導出表示させる導出制御手段と、
変動表示に関する情報を保留情報として記憶する保留記憶手段と、
前記有利状態または前記特殊状態に制御するかを決定する決定手段と、
前記決定手段の決定前に、前記有利状態または前記特殊状態に制御されるかを判定可能な判定手段と、
前記有利状態中において、前記判定手段の判定結果に基づいて前記保留記憶手段に前記有利状態に制御されると判定された保留情報が記憶されている場合に、前記有利状態に制御されることを事前に報知する報知演出を実行可能な報知演出手段と、
遊技媒体が進入可能な第１状態と、遊技媒体が進入困難な第２状態とに変化可能な可変手段と、
前記特別状態において前記特殊状態となったときに前記可変手段に遊技媒体が進入する毎に、遊技媒体を獲得したことを報知する遊技媒体報知演出を実行可能な遊技媒体演出手段と、を備え、
前記報知演出手段は、
前記報知演出として、少なくとも実行中の前記有利状態から次回の前記有利状態が開始されるまでの特定期間に亘り一連の特定報知演出を実行可能であり、
前記特定期間に前記特殊状態に制御されるときにも、継続して前記特定報知演出を実行可能であり、
前記導出制御手段は、前記特定報知演出が実行されていない前記特別状態中において前記特殊状態に制御されるときには、特殊表示結果を導出表示し、前記特定報知演出が実行された後の前記特別状態中において前記特殊状態に制御されるときには、前記特殊表示結果以外の表示結果を導出表示し、
前記遊技媒体演出手段は、前記特定期間において前記特殊状態に制御されるときと、前記特定期間以外において前記特殊状態に制御されるときとで、前記遊技媒体報知演出の演出態様を異ならせて実行可能である、遊技機。
【手続補正２】
【補正対象書類名】明細書
【補正対象項目名】０００６
【補正方法】変更
【補正の内容】
【０００６】
（Ａ）上記目的を達成するため、本発明に係る遊技機は、
遊技者にとって有利な価値が付与される有利状態（たとえば、大当り状態等）に制御可能な遊技機（たとえば、パチンコ遊技機１等）であって、
遊技者にとって有利な価値が付与される状態であって、前記有利状態よりも有利度合いが低い特殊状態（たとえば、小当り状態等）に制御可能な特殊状態制御手段（たとえば、遊技制御用マイクロコンピュータ５６０等）と、
前記特殊状態に制御され易い特別状態（たとえば、ラッシュ状態等）に制御可能な特別状態制御手段（たとえば、遊技制御用マイクロコンピュータ５６０等）と、
識別情報を変動表示させ、表示結果を導出表示させる導出制御手段と、
変動表示に関する情報を保留情報（たとえば、保留記憶等）として記憶する保留記憶手段（たとえば、遊技制御用マイクロコンピュータ５６０のＲＡＭ５５等）と、
前記有利状態または前記特殊状態に制御するかを決定する決定手段（たとえば、遊技制御用マイクロコンピュータ５６０等）と、
前記決定手段の決定前に、前記有利状態または前記特殊状態に制御されるかを判定可能な判定手段（たとえば、遊技制御用マイクロコンピュータ５６０等）と、
前記有利状態中において、前記判定手段の判定結果に基づいて前記保留記憶手段に前記有利状態に制御されると判定された保留情報が記憶されている場合に、前記有利状態に制御されることを事前に報知する報知演出（たとえば、保留連演出等）を実行可能な報知演出手段（たとえば、演出制御用マイクロコンピュータ２００等）と、
遊技媒体が進入可能な第１状態（たとえば、開状態等）と、遊技媒体が進入困難な第２状態（たとえば、閉状態等）とに変化可能な可変手段（たとえば、特殊可変入賞球装置２２等）と、
前記特別状態において前記特殊状態となったときに前記可変手段に遊技媒体が進入する毎に、遊技媒体を獲得したことを報知する遊技媒体報知演出を実行可能な遊技媒体演出手段（たとえば、図２３（ｂ）に示すように、ラッシュ状態において小当り状態となったときに、特殊可変入賞球装置２２に遊技球が入賞したことを報知する第２獲得画像１９７を表示する等）と、を備え、
前記報知演出手段は、
前記報知演出として、少なくとも実行中の前記有利状態から次回の前記有利状態が開始されるまでの特定期間に亘り一連の特定報知演出を実行可能であり（たとえば、図２２に示すように一連のプレミアム映像を流す等）、
前記特定期間に前記特殊状態に制御されるときにも、継続して前記特定報知演出を実行可能であり（たとえば、図２２に示すように、大当り状態から次回の大当り状態が開始されるまでの特定期間に小当り状態に制御されるときにも、一連のプレミアム映像を流す等）、
前記導出制御手段は、前記特定報知演出が実行されていない前記特別状態中において前記特殊状態に制御されるときには、特殊表示結果を導出表示し、前記特定報知演出が実行された後の前記特別状態中において前記特殊状態に制御されるときには、前記特殊表示結果以外の表示結果を導出表示し、
前記遊技媒体演出手段は、前記特定期間において前記特殊状態に制御されるときと、前記特定期間以外において前記特殊状態に制御されるときとで、前記遊技媒体報知演出の演出態様を異ならせて実行可能である（たとえば、図２２（ｄ），図２３（ｂ），（ｃ）に示すように、大当り状態から次回の大当り状態までの期間に小当り状態に制御されるときの第１獲得画像１９６と、それ以外の期間での第２獲得画像１９７や第３獲得画像１９８とで獲得画像の表示態様を異ならせる等）。
（１）  上記目的を達成するため、他の遊技機は、
遊技者にとって有利な有利状態（たとえば、大当り状態等）に制御可能な遊技機（たとえば、パチンコ遊技機１等）であって、
前記有利状態とは異なる特殊状態（たとえば、小当り状態等）に制御可能な特殊状態制御手段（たとえば、遊技制御用マイクロコンピュータ５６０等）と、
変動表示に関する情報を保留情報（たとえば、保留記憶等）として記憶する保留記憶手段（たとえば、遊技制御用マイクロコンピュータ５６０のＲＡＭ５５等）と、
前記有利状態または前記特殊状態に制御するか否かを決定する決定手段（たとえば、遊技制御用マイクロコンピュータ５６０等）と、
前記決定手段の決定前に、前記有利状態または前記特殊状態に制御されるか否かを判定可能な判定手段（たとえば、遊技制御用マイクロコンピュータ５６０等）と、
前記有利状態中において、前記判定手段の判定結果に基づいて前記保留記憶手段に前記有利状態に制御されると判定された保留情報が記憶されている場合に、前記有利状態に制御されることを事前に報知する報知演出（たとえば、保留連演出等）を実行可能な報知演出手段（たとえば、演出制御用マイクロコンピュータ２００等）とを備え、
前記報知演出手段は、
前記報知演出として、少なくとも実行中の前記有利状態から次回の前記有利状態が開始されるまでの特定期間に亘り一連の特定報知演出を実行可能であり（たとえば、図２２に示すように一連のプレミアム映像を流す等）、
前記特定期間に前記特殊状態に制御されるときにも、継続して前記特定報知演出を実行可能である（たとえば、図２２に示すように、大当り状態から次回の大当り状態が開始されるまでの特定期間に小当り状態に制御されるときにも、一連のプレミアム映像を流す等）。